(57)【要約】      （修正有）【課題】ワイヤレス通信システムにおいて通信を管理するための方法、システム、および装置を提供する。【解決手段】第１のアクセスポイントと第２のアクセスポイントとの間にアクセスポイント間通信リンクが確立される。第１のアクセスポイントにおいて、第２のアクセスポイントからの１つ又は複数の性能統計を、アクセスポイント間通信リンクを介して受信する。第１のアクセスポイントおよび第２のアクセスポイントを介したモバイルデバイスへの又はそれからの通信は、受信した性能統計に少なくとも部分的に基づいて管理される。【選択図】図８
2019036984.tif 000002
【特許請求の範囲】
【請求項１】
ワイヤレス通信システムにおいて通信を管理するための方法であって、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を備える方法。
【請求項２】
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、請求項１に記載の方法。
【請求項３】
前記１つまたは複数の性能統計を受信することは、
前記モバイルデバイスおよび前記第２のアクセスポイントのうちの少なくとも１つについての１つまたは複数の性能統計を受信すること
を備える、請求項１に記載の方法。
【請求項４】
通信を管理することは、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること
を備える、請求項１に記載の方法。
【請求項５】
通信を管理することは、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を備える、請求項１に記載の方法。
【請求項６】
前記１つまたは複数の性能統計を報告するよう求める要求を、前記第２のアクセスポイントに送信すること
をさらに備える、請求項１に記載の方法。
【請求項７】
前記要求は、周期的にかまたはイベントトリガが発生したときにかのいずれかに前記１つまたは複数の性能統計を報告する命令を備える、請求項６に記載の方法。
【請求項８】
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
請求項７に記載の方法。
【請求項９】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１に記載の方法。
【請求項１０】
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、請求項１に記載の方法。
【請求項１１】
前記１つまたは複数の性能統計は、前記アクセスポイント間通信リンクのローディングまたは利用に関する少なくとも１つの統計を備える、請求項１に記載の方法。
【請求項１２】
ワイヤレス通信システムにおいて通信を管理するための装置であって、
プロセッサと、
前記プロセッサと電子通信状態にあるメモリと、
前記メモリに記憶された命令と
を備え、前記命令は、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記第１のアクセスポイントおよび前記第２のアクセスポイントを介したモバイルデバイスへのまたはそれからの通信を、前記受信された性能統計に少なくとも部分的に基づいて管理することと
を行うために前記プロセッサによって実行可能である、装置。
【請求項１３】
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、請求項１２に記載の装置。
【請求項１４】
前記命令は、
前記モバイルデバイスおよび前記第２のアクセスポイントのうちの少なくとも１つについての１つまたは複数の性能統計を受信することと
を行うために前記プロセッサによって実行可能である、請求項１２に記載の装置。
【請求項１５】
前記命令は、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること、
を行うために前記プロセッサによって実行可能である、請求項１２に記載の装置。
【請求項１６】
前記命令は、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を行うために前記プロセッサによって実行可能である、請求項１２に記載の装置。
【請求項１７】
前記命令は、
前記１つまたは複数の性能統計を報告するよう求める要求を前記第２のアクセスポイントに送信すること
を行うために前記プロセッサによって実行可能である、請求項１２に記載の装置。
【請求項１８】
前記要求は、周期的にかまたはイベントトリガが発生したときにかのいずれかに前記１つまたは複数の性能統計を報告する命令を備える、請求項１７に記載の装置。
【請求項１９】
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
請求項１８に記載の装置。
【請求項２０】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１２に記載の装置。
【請求項２１】
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、請求項１２に記載の装置。
【請求項２２】
前記１つまたは複数の性能統計は、前記アクセスポイント間通信リンクのローディングまたは利用に関する少なくとも１つの統計を備える、請求項１２に記載の装置。
【請求項２３】
ワイヤレス通信システムにおいて通信を管理するための装置であって、
第１のアクセスポイントと第２のアクセスポイントとの間にアクセスポイント間通信リンクを確立するための手段と、
前記アクセスポイント間通信リンクを介した前記第２のアクセスポイントから１つまたは複数の性能統計を、前記第１のアクセスポイントにおいて受信するための手段と、
前記受信された性能統計に少なくとも部分的に基づいて、前記第１のアクセスポイントおよび前記第２のアクセスポイントを介したモバイルデバイスへのまたはそれからの通信を管理するための手段と
を備える装置。
【請求項２４】
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、請求項２３に記載の装置。
【請求項２５】
前記１つまたは複数の性能統計を受信するための前記手段は、
前記モバイルデバイスおよび前記第２のアクセスポイントのうちの少なくとも１つについての１つまたは複数の性能統計を受信するための手段
を備える、請求項２３に記載の装置。
【請求項２６】
前記１つまたは複数の性能統計を報告するよう求める要求を、前記第２のアクセスポイントに送信するための手段
をさらに備える、請求項２３に記載の装置。
【請求項２７】
前記要求は、周期的にかまたはイベントトリガが発生したときにかのいずれかに前記１つまたは複数の性能統計を報告する命令を備える、請求項２６に記載の装置。
【請求項２８】
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
請求項２７に記載の装置。
【請求項２９】
ワイヤレス通信システムにおいて通信を管理するためのコンピュータプログラム製品であって、前記コンピュータプログラム製品は、命令を記憶している非一時的コンピュータ可読媒体を備え、前記命令は、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を行うためにプロセッサによって実行可能である、コンピュータプログラム製品。
【請求項３０】
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、請求項２９に記載のコンピュータプログラム製品。
【発明の詳細な説明】
【相互参照】
【０００１】
[0001]  本願は、２０１４年３月２５日に出願された、Ｏｚｒｕｒｋ等による「Management of Communications With Multiple Access Points Based on Inter-Access Point Communications」と題する米国特許出願第１４／２２４，８２５号、および、２０１３年４月３日に出願されたＯｚｔｕｒｋ等による「Management of Communications With Multiple Access Points Based on Inter-Access Point Communications」と題する米国特許仮出願第６１／８０７，９７３号の優先権を主張し、これらは、本願の譲受人に譲受され、参照により本願明細書に明確に組み込まれる。
【背景技術】
【０００２】
[0002]  下記は一般にワイヤレス通信に関し、より具体的には、複数のアクセスポイントとのモバイルデバイス通信に関する。ワイヤレス通信システムは、例えば、音声、ビデオ、パケットデータ、メッセージング、ブロードキャスト、等のような、様々なタイプの通信コンテンツを提供するために広く展開されている。これらシステムは、利用可能なシステムリソース（例えば、時間、帯域幅、および電力）を共有することによって複数のユーザとの通信をサポートすることができる多元接続システムでありうる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００３】
[0003]  一般に、ワイヤレス多元接続通信システムは、多数のアクセスポイント（例えば、セルラネットワーク基地局またはワイヤレスローカルエリアネットワーク（ＷＬＡＮ）アクセスポイント）を含み得、各々は、複数のモバイルデバイスのための通信を同時にサポートする。アクセスポイントは、ダウンストリームおよびアップストリームリンク上（例えば、ダウンリンクおよびアップリンク）でモバイルデバイスと通信しうる。各アクセスポイントはある範囲を有し得、その範囲は、アクセスポイントのカバレッジエリアと呼ばれうる。モバイルデバイスは、それがアクセスポイントの範囲内にいるときにアクセスポイントと通信しうる。
【０００４】
[0004]  モバイルデバイスが２つ以上のアクセスポイントの範囲内にいる場合、モバイルデバイスが通信しているアクセスポイント（例えば、アンカアクセスポイント）は、モバイルデバイスの範囲内にあるブースタアンカポイントに多数のデータフローをオフロードすると決めうる。これは、例えば、アンカアクセスポイントにかかるトラフィック負荷を改善するために、または、モバイルデバイスとアンカアクセスポイントとの間の通信リンク（または、通信チャネル）の信号品質が望むものよりも低い品質であるという理由で行われうる。次に、ブースタアクセスポイントは、アンカアクセスポイントからモバイルデバイスへの通信を転送するか、モバイルデバイスからアンカアクセスポイントへの通信を転送しうる。アンカアクセスポイントは、ブースタアクセスポイントとのモバイルデバイスの接続のアクティブ化および非アクティブ化を制御しうる。いくつかのケースでは、アンカアクセスポイントは、複数のブースタアクセスポイントへのモバイルデバイスの接続のアクティブ化および非アクティブ化を制御しうる。
【発明の概要】
【０００５】
[0005]  この説明は一般に、複数のアクセスポイントと１つまたは複数のモバイルデバイスとの間の通信を管理するための１つまたは複数の改善された方法、システム、および／または装置に関する。ワイヤレス通信システムでは、モバイルデバイス、すなわちユーザ機器（ＵＥ）、は、１つよりも多くのワイヤレスアクセスポイント（例えば、１つよりも多くの基地局、発展型ノードＢ（ｅＮＢ）、またはＷＬＡＮアクセスポイント）への接続性を有することが許可されうる。そのような事例では、１つのアクセスポイントが「アンカ」（例えば、アンカアクセスポイント）として機能し、他の「ブースタ」アクセスポイントとの接続のアクティブ化および非アクティブ化を制御しうる。特定の例では、接続のアクティブ化および非アクティブ化を制御することは、ブースタアクセスポイントのリソースおよび／またはデータフローを管理することを備えうる。例えば、アンカアクセスポイントは、ブースタアクセスポイントがモバイルデバイスへのまたはそれからの特定のデータフローを送信することを要求しうる。アンカアクセスポイントはまた、モバイルデバイスの特定のデータフローを、ブースタアクセスポイントからアンカアクセスポイントに戻すよう要求しうる。
【０００６】
[0006]  第１のセットの実例となる実施形態にしたがって、ワイヤレス通信システムにおいて通信を管理するための開示される方法が説明される。この方法にしたがって、アクセスポイント間通信リンクが、第１のアクセスポイントと第２のアクセスポイントとの間に確立されうる。１つまたは複数の性能統計は、アクセスポイント間通信リンクを介して第２のアクセスポイントから、第１のアクセスポイントにおいて受信されうる。第１のアクセスポイントおよび第２のアクセスポイントを介したモバイルデバイスへのまたはそれからの通信は、受信された性能統計に少なくとも部分的に基づいて管理されうる。
【０００７】
[0007]  いくつかの例では、モバイルデバイスへのまたはそれからの通信を管理することは、第１のアクセスポイントと第２のアクセスポイントとの間でのリソースの集中スケジューリング、キャリア割振り、またはデータフローを管理することを備えうる。特定の例では、１つまたは複数の性能統計を受信することは、モバイルデバイスのために１つまたは複数の性能統計を受信することを含みうる。モバイルデバイスは、少なくとも第２のアクセスポイントと通信状態にありうる。いくつかの例では、１つまたは複数のデータフローを管理することは、モバイルデバイスが第１のアクセスポイントに知られているかまたはそれと通信状態にあるときに、１つまたは複数のデータフローの少なくとも一部を第２のアクセスポイントから第１のアクセスポイントに切り替えるかどうかを決定するために１つまたは複数の性能統計を使用することを含みうる。さらに他の例では、１つまたは複数のデータフローを管理することは、モバイルデバイスが第１のアクセスポイントと通信状態にあるときに、１つまたは複数のデータフローの少なくとも一部を第１のアクセスポイントから第２のアクセスポイントに切り替えるかどうかを決定するために１つまたは複数の性能統計を使用することを含みうる。
【０００８】
[0008]  特定の例では、１つまたは複数の性能統計を報告するよう求める要求が第２のアクセスポイントに送信されうる。要求は、いくつかのケースでは、周期的にまたはイベントトリガが発生したときに１つまたは複数の性能統計を報告する命令を含みうる。いくつかのケースでは、１つまたは複数の性能統計は、モバイルデバイスについての１つまたは複数の性能統計を含み得、イベントトリガは、モバイルデバイスについての性能統計のうちの少なくとも１つが閾値を満たすと発生しうる。他のケースでは、１つまたは複数の性能統計は、第２のアクセスポイントについての１つまたは複数の性能統計を含み得、イベントトリガは、第２のアクセスポイントについての性能統計のうちの少なくとも１つが閾値を満たすと発生しうる。
【０００９】
[0009]  いくつかの例では、１つまたは複数の性能統計は、モバイルデバイスによる無線リソース使用量、パケットの伝送遅延、モバイルデバイスへのまたはそれからのサーブドスループット（served throughput）を示す少なくとも１つの統計を含みうる。さらなる例では、１つまたは複数の性能統計は、モバイルデバイスと第２のアクセスポイントとの間のチャネル情報に関する少なくとも１つの統計を含みうる。いくつかの例では、１つまたは複数の性能統計は、少なくとも１つのアクセスポイントについてモバイルデバイスによって測定された信号品質に関する少なくとも１つの統計を含みうる。１つまたは複数の性能統計は、アクセスポイント間通信リンクのローディングまたは利用に関する少なくとも１つの統計をさらに含みうる。
【００１０】
[0010]  第２のセットの実例となる実施形態によれば、ワイヤレス通信システムにおいて通信を管理するための装置が説明される。装置は、プロセッサと、このプロセッサに電気的に通信状態にあるメモリと、このメモリに記憶された命令とを含みうる。命令は、第１のアクセスポイントと第２のアクセスポイントとの間にアクセスポイント間通信リンクを確立することと、アクセスポイント間通信リンクを介して第２のアクセスポイントから１つまたは複数の性能統計を、第１のアクセスポイントにおいて受信することと、受信された性能統計に少なくとも部分的に基づいて、第１のアクセスポイントおよび第２のアクセスポイントを介したモバイルデバイスへのまたはそれからの通信を管理することとを行うために、プロセッサによって実行可能でありうる。特定の例では、デバイスは、第１のセットの実例となる実施形態について上述されたワイヤレス通信システムにおける通信を管理するための方法の１つまたは複数の態様をさらに実現しうる。
【００１１】
[0011]  第３のセットの実例となる実施形態によれば、ワイヤレス通信システムにおいて通信を管理するための装置もまた説明される。装置は、第１のアクセスポイントと第２のアクセスポイントとの間にアクセスポイント間通信リンクを確立するための手段と、アクセスポイント間通信リンクを介して第２のアクセスポイントから１つまたは複数の性能統計を、第１のアクセスポイントにおいて受信するための手段と、受信された性能統計に少なくとも部分的に基づいて第１のアクセスポイントおよび第２のアクセスポイントを介したモバイルデバイスへのまたはそれからの通信を管理するための手段とを含みうる。特定の例では、デバイスは、第１のセットの実例となる実施形態について上述されたワイヤレス通信システムにおける通信を管理するための方法の１つまたは複数の態様を実現するための手段をさらに含みうる。
【００１２】
[0012]  ワイヤレス通信システムにおいて通信を管理するためのコンピュータプログラム製品もまた説明される。コンピュータプログラム製品は、第１のアクセスポイントと第２のアクセスポイントとの間にアクセスポイント間通信リンクを確立することと、アクセスポイント間通信リンクを介して第２のアクセスポイントから１つまたは複数の性能統計を、第１のアクセスポイントにおいて受信することと、受信された性能統計に少なくとも部分的に基づいて第１のアクセスポイントおよび第２のアクセスポイントを介したモバイルデバイスへのまたはそれからの通信を管理することとを行うために、プロセッサによって実行可能な命令を記憶した非一時的コンピュータ可読媒体を含みうる。特定の例では、コンピュータプログラム製品は、第１のセットの実例となる実施形態について上述されたワイヤレス通信システムにおける通信を管理するための方法の１つまたは複数の態様をさらに実現しうる。
【００１３】
[0013]  説明される方法および装置の適用可能性のさらなる適用範囲は、以下の詳細な説明、特許請求の範囲、および図面から明らかになるであろう。この説明の精神および適用範囲内での様々な変更および修正が当業者に明らかになるため、詳細な説明および具体例は、実例として示されているにすぎない。
【００１４】
[0014]  本発明の本質および利点のさらなる理解は、以下の図面を参照することによって実現されうる。添付された図では、同様の構成要素または特徴は、同じ参照ラベルを有しうる。さらに、同じタイプの様々な構成要素は、参照ラベルの後に、ダッシュと、同様の構成要素を区別する第２のラベルとが続くことによって区別されうる。本明細書内において第１の参照ラベルのみが使用される場合、その説明は、第２の参照ラベルに関係なく、同じ第１の参照ラベルを有する同様の構成要素のどれに対しても適用可能である。
【図面の簡単な説明】
【００１５】
【図１】図１は、ワイヤレス通信システムのブロック図を示す。
【図２】図２は、別のワイヤレス通信システムのブロック図を示す。
【図３】図３は、様々な実施形態に係る、ワイヤレス通信システムにおいて通信を管理するためのデバイスのブロック図を示す。
【図４】図４は、様々な実施形態に係る、ワイヤレス通信システムにおいて通信を管理するための別のデバイスのブロック図を示す。
【図５】図５は、様々な実施形態に係る、ワイヤレス通信システムにおいて通信を管理するためのさらに別のデバイスのブロック図を示す。
【図６】図６は、様々な実施形態に係る、モバイルデバイス性能統計分析モジュールのブロック図を示す。
【図７】図７は、様々な実施形態に係る、アクセスポイント性能統計分析モジュールのブロック図を示す。
【図８】図８は、モバイルデバイスと複数のアクセスポイントとの間の通信を管理するための例示的なメッセージフローを示す。
【図９】図９は、様々な実施形態に係る、ワイヤレス通信システムにおいて通信を管理するための方法の実施形態を例示するフローチャートである。
【図１０】図１０は、様々な実施形態に係る、ワイヤレス通信システムにおいて通信を管理するための別の方法の実施形態を例示するフローチャートである。
【図１１】図１１は、様々な実施形態に係る、ワイヤレス通信システムにおいて通信を管理するためのさらに別の方法の実施形態を例示するフローチャートである。
【発明を実施するための形態】
【００１６】
[0026]  ワイヤレス通信システムにおける通信の管理が説明される。ワイヤレス通信システムでは、モバイルデバイス、すなわちユーザ機器（ＵＥ）、は、１つよりも多くのワイヤレスアクセスポイント（例えば、１つよりも多くの基地局、発展型ノードＢ（ｅＮＢ）、またはＷＬＡＮアクセスポイント）への接続性を有することが許可されうる。いくつかのワイヤレス通信システムでは、モバイルデバイスは、ダウンリンクおよびアップリンクの両方の通信のために１つよりも多くのアクセスポイントへの接続性を有することが許可されうる。これらのケースでは、１つのアクセスポイントが「アンカ」（例えば、アンカアクセスポイント）として機能し、他の「ブースタ」アクセスポイントとの接続のアクティブ化および非アクティブ化を制御しうる。例えば、アンカアクセスポイントは、ブースタアクセスポイントがモバイルデバイスへのまたはそれから特定のデータフローを送信することを要求しうる。アンカアクセスポイントはまた、モバイルデバイスの特定のデータフローを、ブースタアクセスポイントからアンカアクセスポイントに戻すことを要求しうる。この目的を達成するために、モバイルデバイス（１つまたは複数）およびブースタアクセスポイント（１つまたは複数）の性能についての知識は、アンカアクセスポイントが、アクセスポイントの間でデータフローを切り替えるかどうかを決めるのを支援しうる。以下で説明されるように、モバイルデバイスまたはブースタアクセスポイントについての性能統計は、ブースタアクセスポイントとアンカアクセスポイントとの間のアクセスポイント間通信リンクを介してアンカアクセスポイントに伝達されうる。
【００１７】
[0027]  説明されるように、アクセスポイント間のシグナリングは、モバイルデバイスおよびブースタアクセスポイントについての性能統計の報告を含めるように拡張されうる。報告は、無線リソースの使用量（例えば、ロングタームエボリューション（ＬＴＥ（登録商標））またはＬＴＥ−Ａ通信システム（ＬＴＥ／ＬＴＥ−Ａ通信システム）における時間比およびリソースブロック使用量）、スケジューリングおよび伝送遅延、ならびにサーブドスループット、のような性能統計を含みうる。これらの性能統計は、特定のモバイルデバイスについて、データフロー（ベアラ）ごとに報告されうる。報告は、モバイルデバイスのロケーション、モバイルデバイスが拡張範囲（ＣＲＥ）内にあるかどうか、チャネル品質情報（ＣＱＩ）のようなチャネル情報、経路損失情報、または伝送電力ヘッドルームのような情報も含みうる。
【００１８】
[0028]  報告は、アンカアクセスポイントによって要求され、即時にまたは周期的にブースタアクセスポイントによって送られうる。報告の所望の周期性は報告要求に含まれうる。ブースタアクセスポイントはまた、要求なしに、または、実行（performance）のための特定のトリガに基づいて（例えば、モバイルデバイススループットが閾値よりも下に降下したときまたはＲＢ使用量が閾値を超えたときに）報告を送りうる。これらトリガは、オペレーションおよび管理によって構成されうるか、またはアンカアクセスポイントによって要求されうる。特定のモバイルデバイスについて集められた情報は、他のモバイルデバイスに対する動作を決める際にアンカアクセスポイントによって使用されることも可能である。
【００１９】
[0029]  以下の説明は例を提供するが、特許請求の範囲で示される適用範囲、適用可能性、または構成を限定するものではない。本開示の精神および適用範囲から逸脱することなく、説明される要素の機能および配列に変更が行われうる。様々な実施形態は、様々なプロシージャまたは構成要素を適宜省略、置換、または追加しうる。例えば、説明される方法は、説明されるものとは異なる順序で行われ得、様々なステップが、追加、省略、または組み合わされうる。また、特定の実施形態について説明される特徴は、他の実施形態において組み合わされうる。
【００２０】
[0030]  まず図１について、図は、ワイヤレス通信システム１００の例を例示している。ワイヤレス通信システム１００は、複数のアクセスポイント（例えば、基地局、ｅＮＢ、またはＷＬＡＮアクセスポイント）１０５、多数のモバイルデバイス１１５、およびコアネットワーク１３０を含む。アクセスポイント１０５のうちのいくつかは、基地局コントローラ（示されない）の制御下のモバイルデバイス１１５と通信し得、これは、様々な実施形態では、コアネットワーク１３０または特定のアクセスポイント１０５（例えば、基地局またはｅＮＢ）の一部でありうる。アクセスポイント１０５のうちのいくつかは、バックホールリンク１３２を通じてコアネットワーク１３０と制御情報および／またはユーザデータを通信しうる。いくつかの実施形態では、アクセスポイント１０５のうちのいくつかは、直接的または間接的のいずれかで、ワイヤードまたはワイヤレス通信リンクでありうるバックホールリンク１３４を通して互いに通信しうる。ワイヤレス通信システム１００は、複数のキャリア（異なる周波数の波形信号）上での動作をサポートしうる。マルチキャリア送信機は、複数のキャリア上で変調信号を同時に送信することができる。例えば、各通信リンク１２５は、様々な無線技術にしたがって変調されたマルチキャリア信号でありうる。各変調信号は、異なる搬送波で送られ得、制御情報（例えば、基準信号、制御チャネル、等）、オーバヘッド情報、データ、等を搬送しうる。
【００２１】
[0031]  アクセスポイント１０５は、１つまたは複数のアクセスポイントアンテナを介してモバイルデバイス１１５とワイヤレスに通信しうる。アクセスポイント１０５の各々は、それぞれの地理的カバレッジエリア１１０に通信カバレッジを提供しうる。いくつかの実施形態では、アクセスポイント１０５は、基地局、トランシーバ基地局、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホーム発展型ノードＢ、ＷＬＡＮアクセスポイント、または何らかの他の適切な用語でも呼ばれうる。アクセスポイントのための地理的なカバレッジエリア１１０は、このカバレッジエリアのほんの一部を構成するセクタ（示されない）へと分割されうる。ワイヤレス通信システム１００は、異なるタイプのアクセスポイント１０５（例えば、マクロ、マイクロ、および／またはピコ基地局）を含みうる。アクセスポイント１０５はまた異なる無線技術を利用しうる。異なるタイプおよび無線技術のために重複したカバレッジエリアが存在しうる。
【００２２】
[0032]  いくつかの実施形態では、ワイヤレス通信システム１００は、ＬＴＥ／ＬＴＥ−Ａ通信システム（または、ネットワーク）でありうるかまたはそれを含みうる。ＬＴＥ／ＬＴＥ−Ａ通信システムでは、発展型ノードＢ（ｅＮＢ）およびユーザ機器（ＵＥ）という用語が、それぞれアクセスポイント１０５およびモバイルデバイス１１５を説明するために一般に使用されうる。ワイヤレス通信システム１００は、異なるタイプのｅＮＢが様々な地理的領域にカバレッジを提供する異種ＬＴＥ／ＬＴＥ−Ａネットワークでもありうる。例えば、各ｅＮＢは、マクロセル、ピコセル、フェムトセル、および／または他のタイプのセルに通信カバレッジを提供しうる。マクロセルは一般に、比較的広い地理的領域（例えば、半径数キロメートル）をカバーし、ネットワークプロバイダにサービス加入しているＵＥによる無制限のアクセスを可能にしうる。ピコセルは一般に、比較的より狭い地理的領域をカバーし、ネットワークプロバイダにサービス加入しているＵＥによる無制限のアクセスを可能にしうる。フェムトセルも一般に、比較的狭い地理的領域（例えば、家）をカバーし、無制限のアクセスに加え、フェムトセルとの関連づけを有するＵＥ（例えば、クローズド加入者グループ（ＣＳＧ）内のＵＥ、家にいるユーザのＵＥ、等）による制限付きのアクセスも提供しうる。マクロセルのためのｅＮＢはマクロｅＮＢと呼ばれうる。ピコセルのためのｅＮＢはピコｅＮＢと呼ばれうる。そして、フェムトセルのためのｅＮＢはフェムトｅＮＢまたはホームｅＮＢと呼ばれうる。ｅＮＢは、１つまたは複数（例えば、２つ、３つ、４つ等）のセルをサポートしうる。
【００２３】
[0033]  コアネットワーク１３０は、バックホールリンク１３２（例えば、Ｓ１、等）を介してアクセスポイント１０５と通信しうる。アクセスポイント１０５はまた、例えば、直接的または間接的に、バックホールリンク１３４（例えば、Ｘ２、等）を介しておよび／または、バックホールリンク１３２を介して（例えば、コアネットワーク１３０を通じて）、互いに通信しうる。ワイヤレス通信システム１００は、同期動作または非同期動作をサポートしうる。同期動作の場合、ｅＮＢは同様のフレームタイミングを有し得、異なるｅＮＢからの送信は、時間的に大まかにアラインされうる。非同期動作の場合、ｅＮＢは異なるフレームタイミングを有し、異なるｅＮＢからの送信は、時間的にアラインされない可能性がある。本明細書で説明される技法は、同期動作または非同期動作のどちらに対しても使用されうる。
【００２４】
[0034]  モバイルデバイス１１５は、ワイヤレス通信システム１００全体に分散しており、各モバイルデバイスは固定式（stationary）または可動式（mobile）でありうる。モバイルデバイス１１５は、当業者によって、ＵＥ、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な専門用語でも呼ばれうる。モバイルデバイス１１５またはＵＥは、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等でありうる。ＵＥは、マクロｅＮＢ、ピコｅＮＢ、フェムトｅＮＢ、リレー、等と通信することが可能でありうる。
【００２５】
[0035]  ワイヤレス通信システム１００において示される通信リンク１２５は、アップリンク（ＵＬ）送信を（例えば、モバイルデバイス１１５からアクセスポイント１０５に）搬送するためのアップリンクおよび／またはダウンリンク（ＤＬ）送信を（例えば、アクセスポイント１０５からモバイルデバイス１１５に）搬送するためのダウンリンクを含みうる。ＵＬ送信は逆方向リンク送信とも呼ばれ得、ＤＬ送信は順方向リンク送信とも呼ばれうる。
【００２６】
[0036]  示されるように、モバイルデバイス１１５ １１５−ａまたはＵＥは、第１のアクセスポイント１０５−ａとの第１の通信リンク１２５−ａを通して、および第２のアクセスポイント１０５−ｂとの第２の通信リンク１２５−ｂを通して同時にまたは交互に通信しうる。第１のアクセスポイント１０５−ａおよび第２のアクセスポイント１０５−ｂはまた、バックホールリンク１３４−ａ（例えば、ＬＴＥ／ＬＴＥ−Ａワイヤレス通信システムのＸ２リンク）を通して互いに通信しうる。いくつかの実施形態では、アクセスポイント１０５−ａは、ＬＴＥ／ＬＴＥ−ＡシステムのマクロｅＮＢを定義し得、アクセスポイント１０５−ｂは、ＬＴＥ／ＬＴＥ−Ａシステムのより小さいカバレッジエリアｅＮＢまたはＷＬＡＮシステムのＷＬＡＮカバレッジエリアを定義しうる。限定ではなく説明のために、アクセスポイント１０５−ａは、アンカアクセスポイントであり得、モバイルデバイス１１５−ａのデータフローをブースタアクセスポイント１０５−ｂに／からいつ切り替えるかを決定しうる。本明細書で説明されるように、データフローを切り替えるアンカアクセスポイントの決定は、アクセスポイント間通信バックホールリンク１３４−ａを通してアンカアクセスポイント１０５−ａで受信された、モバイルデバイス１１５−ａまたはブースタアクセスポイント１０５−ｂの性能統計に少なくとも部分的に基づきうる。
【００２７】
[0037]  特定の例では、アンカアクセスポイント１０５−ａは、アンカアクセスポイント１０５−ａで受信された、ブースタアクセスポイント１０５−ｂの性能統計に少なくとも部分的に基づいてブースタアクセスポイント１０５−ｂのリソースを管理しうる。そのような例では、ブースタアクセスポイント１０５−ｂを管理することは、各キャリアの性能統計に少なくとも部分的に基づいて、ブースタアクセスポイント１０５−ｂの特定のキャリアを追加または除去することを備えうる。
【００２８】
[0038]  図２に関して、図は、ワイヤレス通信システム２００の例を例示している。ワイヤレス通信システム２００は、複数のアクセスポイント１０５−ｃ、１０５−ｄ、１０５−ｅおよびモバイルデバイス１１５−ｂ、１１５−ｃ、１１５−ｄ、１１５−ｅ、１１５−ｆを含みうる。ワイヤレス通信システム２００は、図１に関連して説明されたワイヤレス通信システム１００の１つまたは複数の態様の例でありうる。アクセスポイント１０５−ｃ、１０５−ｄ、１０５−ｅは、同じまたは異なるネットワークへのアクセスを提供しうる。いくつかのケースでは、アクセスポイント１０５−ｃ、１０５−ｄ、１０５−ｅのうちの１つまたは複数は、図１に関連して説明された基地局、ｅＮＢ、または他のアクセスポイント１０５の形をとりうる。
【００２９】
[0039]  モバイルデバイス１１５−ｂ、１１５−ｃ、１１５−ｄ、１１５−ｅ、１１５−ｆは、各々、アクセスポイント１０５−ｃ、１０５−ｄ、１０５−ｅのうちの１つまたは複数と通信しうる。例として、モバイルデバイス１１５−ｃは、アクセスポイント１０５−ｃと第１のデータフロー２０５−ａを、ならびにアクセスポイント１０５−ｄとの第２および第３のデータフロー２０５−ｂ、２０５−ｃを確立していることが示されている。データフロー２０５−ｂ、２０５−ｃの各々は、アップリンクデータフロー、ダウンリンクデータフローまたは、共有された（例えば、多重化された）アップリンク／ダウンリンクデータフローでありうる。同様に例として、アクセスポイント１０５−ｄは、モバイルデバイス１１５−ｃの第２および第３のデータフロー２０５−ｂ、２０５−ｃ、モバイルデバイス１１５−ｄのデータフロー２０５−ｄ、モバイルデバイス１１５−ｅのデータフロー２０５−ｅ、およびモバイルデバイス１１５−ｆのデータフロー２０５−ｆをサービスすることが示されている。モバイルデバイス１１５−ｃおよび１１５−ｄとアクセスポイント１０５−ｄとの間のデータフロー２０５−ｂ、２０５−ｃ、２０５−ｄ上の通信は、バックホールリンク（または、アクセスポイント間通信リンク）１３４−ｂを通してアクセスポイント１０５−ｃへ／から提供または受信されうる。このように、アクセスポイント１０５−ｃは、アンカアクセスポイントとして機能し、ブースタアクセスポイント１０５−ｄに／から、データフローを選択的に切り替えうる。
【００３０】
[0040]  アクセスポイント１０５−ｃによってなされるデータフロー管理決定は、アクセスポイント１０５−ｄから受信された性能統計に少なくとも部分的に基づきうる。性能統計は、モバイルデバイス１１５−ｃまたは１１５−ｄに、アクセスポイント１０５−ｄによってサービスされる他のモバイルデバイス１１５−ｅ、１１５−ｆに、またはアクセスポイント１０５−ｄ自体に関連しうる。これらの性能統計は、アクセスポイント１０５−ｄおよびアクセスポイント間通信バックホールリンク１３４−ｂを介してアクセスポイント１０５−ｃに通信されうる。
【００３１】
[0041]  さらなる例では、モバイルデバイス１１５−ｆとアクセスポイント１０５−ｃとの間のデータフロー２０５−ｇ、２０５−ｈ上の通信は、バックホールリンク（または、アクセスポイント間通信リンク）１３４−ｃを通してアクセスポイント１０５−ｄへ／から提供または受信されうる。実例となる実施形態の特定の例では、アクセスポイント１０５−ｄは、複数のアクセスポイント１０５−ｃ、１０５−ｄ、および１０５−ｅの間でのリソース調整をスケジューリングしうるか、または複数のアクセスポイント１０５−ｃ、１０５−ｄ、および１０５−ｅの間でのリソースの集中スケジューリングを提供しうる。そのような事例では、アクセスポイント１０５−ｄは、アンカアクセスポイント１０５−ｄとして機能し、ブースタアクセスポイント１０５−ｃおよび１０５−ｅからのデータフローを選択的に切り替えうる。特定の例では、アンカアクセスポイント１０５−ｄが、マスタアクセスポイントとして機能し得、複数のブースタアクセスポイント１０５−ｃおよび１０５−ｅがスレーブとして機能する。
【００３２】
[0042]  いくつかの例では、アンカアクセスポイントとして機能するアクセスポイント１０５−ｄは、受信された性能統計に少なくとも部分的に基づいて特定のブースタアクセスポイント１０５−ｃおよび１０５−ｅを追加または除去しうる。そのような事例では、ブースタアクセスポイント１０５−ｃ、１０５−ｅを追加または除去することは、ブースタアクセスポイント１０５−ｃ、１０５−ｅの選択的なキャリアリソースを追加または除去すること、および／または、キャリアリソースを割り振ることを備えうる。
【００３３】
[0043]  図３に関して、ブロック図３００は、様々な実施形態に係る、デバイス１０５−ｆを例示している。デバイス１０５−ｆは、図１および／または２に関連して説明されたアクセスポイント１０５のうちの１つ、の１つまたは複数の態様の例でありうる。デバイス１０５−ｆはまたプロセッサでありうる。デバイス１０５−ｆは、受信機モジュール３０５、通信管理モジュール３１０、および／または送信機モジュール３１５を含みうる。これらの構成要素の各々は互いと通信状態にありうる。
【００３４】
[0044]  デバイス１０５−ｆの構成要素は個々にまたは集合的に、ハードウェアにおいて適用可能な機能のうちのいくつかまたはすべてを行うのに適した１つまたは複数の特定用途集積回路（ＡＳＩＣ）で実現されうる。代替的に、これら機能は、１つまたは複数の集積回路上の１つまたは複数の他の処理ユニット（または、コア）によって行われうる。他の実施形態では、他のタイプの集積回路（例えば、構造／プラットフォームＡＳＩＣ、フィールドプログラマブルゲートアレイ（ＦＰＧＡ）、および他の半カスタムＩＣ）が使用され得、これは、当技術分野で知られている任意の方法でプログラミングされうる。各ユニットの機能はまた、１つまたは複数の汎用または専用プロセッサによって実行されるようフォーマットされた、メモリの中に具現化される命令で、全体的または部分的に実現されうる。
【００３５】
[0045]  受信機モジュール３０５は、セルラ受信機および／またはワイヤレスローカルエリアネットワーク（ＷＬＡＮ）受信機でありうるかまたはそれを含み得、いくつかのケースでは、ＬＴＥ／ＬＴＥ−Ａ受信機および／またはＷＬＡＮ受信機でありうるかまたはそれを含みうる。受信機モジュール３０５は、図１または２に示されるワイヤレス通信システム１００または２００のようなワイヤレス通信システムの１つまたは複数の通信チャネルを通して様々なタイプのデータおよび／または制御信号（すなわち、伝送）を受信するために使用されうる。
【００３６】
[0046]  送信機モジュール３１５は、セルラ送信機および／またはＷＬＡＮ送信機でありうるかまたはそれを含み得、いくつかのケースでは、ＬＴＥ／ＬＴＥ−Ａ送信機および／またはＷＬＡＮ送信機でありうるかまたはそれを含みうる。送信機モジュール３１５は、図１または２に示されるワイヤレス通信システム１００または２００のようなワイヤレス通信システムの１つまたは複数の通信チャネルを通して様々なタイプのデータおよび／または制御信号を送信するために使用されうる。
【００３７】
[0047]  通信管理モジュール３１０は様々な機能を行いうる。いくつかの実施形態では、通信管理モジュール３１０は、第１のアクセスポイント（例えば、デバイス１０５−ｆ）と第２のアクセスポイント（例えば、図１および／または２に示されたアクセスポイント１０５のうちの１つ）との間にアクセスポイント間通信リンクを確立しうる。次に、通信管理モジュール３１０は、アクセスポイント間通信リンクを介して第２のアクセスポイントから１つまたは複数の性能統計を受信しうる。通信管理モジュールはまた、受信された性能統計に少なくとも部分的に基づいて第１のアクセスポイントおよび第２のアクセスポイントを介したモバイルデバイス１１５へのまたはそれからの通信を管理しうる。いくつかの例では、通信管理モジュール３１０は、少なくとも、複数のブースタアクセスポイント間でのリソースの集中スケジューリング、キャリア割振り、またはデータフローのうちの１つまたは複数を管理する。
【００３８】
[0048]  図４に関して、ブロック図４００は、様々な実施形態に係る、デバイス１０５−ｇを例示している。デバイス１０５−ｇは、図１、２、および／または３に関連して説明されたアクセスポイント１０５のうちの１つ、の１つまたは複数の態様の例でありうる。デバイス１０５−ｇはまたプロセッサでありうる。デバイス１０５−ｇは、受信機モジュール３０５、通信管理モジュール３１０−ａ、および／または送信機モジュール３１５を含みうる。これらの構成要素の各々は互いと通信状態にありうる。
【００３９】
[0049]  デバイス１０５−ｇの構成要素は個々にまたは集合的に、ハードウェアにおいて適用可能な機能のうちのいくつかまたはすべてを行うのに適した１つまたは複数の特定用途集積回路（ＡＳＩＣ）で実現されうる。代替的に、これら機能は、１つまたは複数の集積回路上の１つまたは複数の他の処理ユニット（または、コア）によって行われうる。他の実施形態では、他のタイプの集積回路（例えば、構造／プラットフォームＡＳＩＣ、フィールドプログラマブルゲートアレイ（ＦＰＧＡ）、および他の半カスタムＩＣ）が使用され得、これは、当技術分野で知られている任意の方法でプログラミングされうる。各ユニットの機能はまた、１つまたは複数の汎用または専用プロセッサによって実行されるようフォーマットされた、メモリの中に具現化される命令で、全体的または部分的に実現されうる。
【００４０】
[0050]  受信機モジュール３０５および送信機モジュール３１５は、図３について説明されたものと類似して構成されうる。通信管理モジュール３１０−ａは、図３に関連して説明された通信管理モジュール３１０の例であり得、アクセスポイント間通信モジュール４０５、性能統計受信モジュール４１０、および／またはデータフロー管理モジュール４１５を含みうる。これらの構成要素の各々は互いと通信状態にありうる。
【００４１】
[0051]  アクセスポイント間通信モジュール４０５は、第１のアクセスポイント（例えば、デバイス１０５−ｇ）と第２のアクセスポイント（例えば、図１および／または２に示されたアクセスポイント１０５のうちの１つ）との間にアクセスポイント間通信リンクを確立しうる。アクセスポイント間通信モジュール４０５は、デバイス１０５−ｇと通信状態にある複数のアクセスポイント１０５間の通信管理をさらに提供しうる。特定の例では、アクセスポイント間通信モジュール４０５は、ネットワーク内の複数のアクセスポイントに、リソースの集中スケジューリングおよびキャリア割振りを提供しうる。
【００４２】
[0052]  性能統計受信モジュール４１０は、アクセスポイント間通信リンクが確立されるアクセスポイント１０５から１つまたは複数の性能統計を受信しうる。いくつかのケースでは、性能統計受信モジュール４１０は、モバイルデバイスについての１つまたは複数の性能統計を受信し得、このモバイルデバイス１１５は、アクセスポイント間通信リンクが確立されたアクセスポイント１０５および／またはデバイス１０５−ｇによってサービスされる１つまたは複数のデータフローを有しうる。アクセスポイント間通信リンクが接続されるアクセスポイント１０５は、いくつかのケースでは、アクセスポイントと通信状態にあるモバイルデバイスを用いて、モバイルデバイスについての性能統計を獲得する。いくつかのケースでは、アクセスポイントと通信状態にあるモバイルデバイスは複数存在し得、性能統計受信モジュール４１０は、これらモバイルデバイスのうちのいずれかおよび／またはすべてについての性能統計を受信しうる。
【００４３】
[0053]  性能統計受信モジュール４１０はまた、アクセスポイント間通信リンクが接続されるアクセスポイント１０５についての１つまたは複数の性能統計を受信しうる。
【００４４】
[0054]  いくつかの実施形態では、性能統計受信モジュール４１０は、アクセスポイント間通信リンクが接続するアクセスポイント１０５とモバイルデバイス１１５との間でデータフローごとに（例えば、データフロー２０５−ｂ、２０５−ｃ、等ごとに）１つまたは複数の性能統計を受信しうる。代替的または追加的に、性能統計受信モジュール４１０は、１つまたは複数の累積性能統計（cumulative performance statistic）を受信し得、この場合、各累積性能統計は、アクセスポイント間通信リンクが接続するアクセスポイント１０５とモバイルデバイス１１５との間の少なくとも２つのデータフロー２０５−ｂ、２０５−ｃのセットに対応する。
【００４５】
[0055]  データフロー管理モジュール４１５は、受信された性能統計に少なくとも部分的に基づいて１つまたは複数のデータフローを管理しうる。より具体的には、データフロー管理モジュール４１５は、アクセスポイント間通信リンクが接続されるアクセスポイント１０５およびデバイス１０５−ｇを介してモバイルデバイス１１５へのまたはそれからの１つまたは複数のデータフローを管理しうる。１つまたは複数のデータフローを管理することは、いくつかのケースでは、アクセスポイント間通信リンクが接続するアクセスポイント１０５からの１つまたは複数のデータフローの少なくとも一部を、デバイス１０５−ｇに切り替えるかどうかを決定するために１つまたは複数の受信された性能統計を使用することを含みうる。１つまたは複数のデータフローを管理することはまた、いくつかのケースでは、デバイス１０５−ｇからの１つまたは複数のデータフローの少なくとも一部を、アクセスポイント間通信リンクが接続するアクセスポイント１０５に切り替えるかどうかを決定するために１つまたは複数の受信された性能統計を使用することを含みうる。
【００４６】
[0056]  図５に関して、ブロック図５００は、様々な実施形態に係る、デバイス１０５−ｈを例示している。デバイス１０５−ｈは、図１、２、３、および／または４に関連して説明されたアクセスポイント１０５のうちの１つ、の１つまたは複数の態様の例でありうる。デバイス１０５−ｈはまたプロセッサでありうる。デバイス１０５−ｈは、受信機モジュール３０５、通信管理モジュール３１０−ｂ、および／または送信機モジュール３１５を含みうる。これらの構成要素の各々は互いと通信状態にありうる。
【００４７】
[0057]  デバイス１０５−ｈの構成要素は個々にまたは集合的に、ハードウェアにおいて適用可能な機能のうちのいくつかまたはすべてを行うのに適した１つまたは複数の特定用途集積回路（ＡＳＩＣ）で実現されうる。代替的に、これら機能は、１つまたは複数の集積回路上の１つまたは複数の他の処理ユニット（または、コア）によって行われうる。他の実施形態では、他のタイプの集積回路（例えば、構造／プラットフォームＡＳＩＣ、フィールドプログラマブルゲートアレイ（ＦＰＧＡ）、および他の半カスタムＩＣ）が使用され得、これは、当技術分野で知られている任意の方法でプログラミングされうる。各ユニットの機能はまた、１つまたは複数の汎用または専用プロセッサによって実行されるようフォーマットされた、メモリの中に具現化される命令で、全体的または部分的に実現されうる。
【００４８】
[0058]  受信機モジュール３０５および送信機モジュール３１５は、図３について説明されたものと類似して構成されうる。通信管理モジュール３１０−ｂは、図３および／または４に関連して説明された通信管理モジュール３１０の例であり得、アクセスポイント間通信モジュール４０５、性能統計受信モジュール４１０、および／またはデータフロー管理モジュール４１５−ａを含みうる。これらの構成要素の各々は互いと通信状態にありうる。アクセスポイント間通信モジュール４０５および性能統計受信モジュール４１０は、図４について説明されたものと類似して構成されうる。データフロー管理モジュール４１５−ａもまた、図４について説明されたものに類似して構成されうるが、これはまた、モバイルデバイス性能統計分析モジュール５０５およびアクセスポイント性能統計分析モジュール５１０を含みうる。
【００４９】
[0059]  モバイルデバイス性能統計分析モジュール５０５は、アクセスポイント間通信リンクが接続されたアクセスポイント１０５によってサービスされるデータフローを有する１つまたは複数のモバイルデバイス１１５に関する性能統計を分析しうる。これらの性能統計は、例えば、無線リソース使用量、伝送遅延、サーブドスループット、モバイルデバイスロケーション、チャネル品質情報（ＣＱＩ）、および／または、モバイルデバイスが拡張範囲内（例えば、セル範囲拡張（ＣＲＥ）モード）にあるかどうか、に関する性能統計を含みうる。次に、データフロー管理モジュール４１５は、データフロー管理決定（例えば、データフローをアクセスポイント間で切り替えるかどうか）を、分析されたモバイルデバイス性能統計に少なくとも部分的に基づかせうる。
【００５０】
[0060]  アクセスポイント性能統計分析モジュール５１０は、アクセスポイント１０５間通信リンクが接続されるアクセスポイントに関する性能統計を分析しうる。これらの性能統計は、例えば、アクセスポイント間通信リンク、アクセスポイント１０５によってサービスされる個々のまたは累積したデータフローまたはユーザ、アクセスポイント１０５による無線リソース使用量、および／またはアクセスポイント１０５のスケジューリング優先順位に関する性能統計を含みうる。データフロー管理モジュール４１５は、代替的にまたはさらに、データフロー管理決定を、分析されたアクセスポイント性能統計に少なくとも部分的に基づかせうる。
【００５１】
[0061]  図６に関して、ブロック図６００は、様々な実施形態に係る、モバイルデバイス性能統計分析モジュール５０５−ａを例示している。モバイルデバイス性能統計分析モジュール５０５−ａは、無線リソース分析モジュール６０５、伝送遅延分析モジュール６１０、サーブドスループット分析モジュール６１５、ロケーション情報分析モジュール６２０、チャネル情報分析モジュール６２５、および／または信号品質分析モジュール６３０を含みうる。これらの構成要素の各々は互いと通信状態にありうる。
【００５２】
[0062]  無線リソース分析モジュール６０５は、データフローが管理されているモバイルデバイスによる無線リソース使用量を示す少なくとも１つの統計を分析しうる。無線リソース分析モジュール６０５はまた、ブースタアクセスポイントによってサービスされる他のモバイルデバイスについての無線リソース使用量統計、または、例えば、モバイルデバイスのセットについての無線リソース使用量統計を分析しうる。
【００５３】
[0063]  伝送遅延分析モジュール６１０は、データフローが管理されているモバイルデバイスへまたはそれから送信されたパケットの伝送遅延を示す少なくとも１つの統計を分析しうる。伝送遅延分析モジュール６１０はまた、ブースタアクセスポイントによってサービスされるデータフローを有する他のモバイルデバイスについての伝送遅延統計、または、例えば、モバイルデバイスのセットについての平均伝送遅延を分析しうる。
【００５４】
[0064]  サーブドスループット分析モジュール６１５は、データフローが管理されているモバイルデバイスへのまたはそれからのサーブドスループットを示す少なくとも１つの統計を分析しうる。サーブドスループット分析モジュール６１５はまた、ブースタアクセスポイントによってサービスされるデータフローを有する他のモバイルデバイスについてのサーブドスループット統計、または、例えば、モバイルデバイスのセットについての平均サーブドスループットを分析しうる。
【００５５】
[0065]  ロケーション情報分析モジュール６２０は、データフローが管理されているモバイルデバイスのロケーションに関する情報を分析しうる。ロケーション情報分析モジュール６２０はまた、ブースタアクセスポイントによってサービスされるデータフローを有する他のモバイルデバイスについてのロケーション情報を分析しうる。
【００５６】
[0066]  チャネル情報分析モジュール６２５は、データフローが管理されているモバイルデバイスとブースタアクセスポイントとの間の、ＣＱＩのようなチャネル情報に関する少なくとも１つの統計を分析しうる。サーブドスループット分析モジュール６１５はまた、ブースタアクセスポイントによってサービスされるデータフローを有する他のモバイルデバイスについてのチャネル情報、または、例えば、モバイルデバイスのセットについてのチャネル情報を分析しうる。いくつかの例では、チャネル情報分析モジュール６２５は、ブースタアクセスポイントの各キャリアのチャネル情報に関する統計を分析しうる。
【００５７】
[0067]  信号品質分析モジュール６３０は、少なくとも１つのアクセスポイントについて、モバイルデバイスによって測定された信号品質に関する少なくとも１つの統計を分析しうる。この分析は、モバイルデバイスがＣＲＥモードであるかどうかを決定するために使用されうる。そのような分析はまた、ブースタアクセスポイントによってサービスされるデータフローを有する他のモバイルデバイスについても行われうる。
【００５８】
[0068]  図７に関して、ブロック図７００は、様々な実施形態に係る、アクセスポイント性能統計分析モジュール５１０−ａを例示している。アクセスポイント性能統計分析モジュール５１０−ａは、アクセスポイント間通信リンク分析モジュール７０５、データフロー分析モジュール７１０、ユーザ分析モジュール７１５、無線リソース分析モジュール７２０、および／またはスケジューリング優先順位分析モジュール７２５を含みうる。
【００５９】
[0069]  アクセスポイント間通信リンク分析モジュール７０５は、２つのアクセスポイント間のアクセスポイント間通信リンクのローディングまたは利用に関する少なくとも１つの統計を分析しうる。
【００６０】
[0070]  データフロー分析モジュール７１０は、モバイルデバイスがブースタアクセスポイントにおいてサービスされたデータフローの数に関する少なくとも１つの統計を分析しうる。データフロー分析モジュール７１０はまた、他のモバイルデバイスがブースタアクセスポイントにおいてサービスされたデータフローの数を分析しうる。
【００６１】
[0071]  ユーザ分析モジュール７１５は、第１のアクセスポイントおよび第２のアクセスポイントの両方にアクセスするかまたは現在アクセスしているユーザ（例えば、モバイルデバイス）の数に関する少なくとも１つの統計を分析しうる。これは、図２に示されたアクセスポイント１０５−ｄに関するモバイルデバイス１１５−ｃおよび１１５−ｄにも当てはまるだろう。ユーザ分析モジュール７１５はまた、第２のアクセスポイントと、第１のアクセスポイント以外のものとの両方にアクセスするユーザの数に基づいて少なくとも１つの統計を分析しうる。これは、図２に示されたアクセスポイント１０５−ｄに関するモバイルデバイス１１５−ｆにも当てはまるだろう。
【００６２】
[0072]  無線リソース分析モジュール７２０は、第１のアクセスポイントおよび第２のアクセスポイントの両方にアクセスするモバイルデバイスについて、時間および周波数使用量を含む無線リソース使用量に関する少なくとも１つの統計を分析しうる。無線リソース分析モジュール７２０はまた、第２のアクセスポイントと、第１のアクセスポイント以外のものとの両方にアクセスするモバイルデバイスについて、時間および周波数使用量を含む無線リソース使用量に関する少なくとも１つの統計を分析しうる。無線リソース分析モジュール７２０は、第２のアクセスポイントおよび他のアクセスポイントの両方にアクセスするユーザに属しているデータフローについて、時間および周波数使用量を含む、許容される最大の無線リソース使用量に基づいて少なくとも１つの統計をさらに分析しうる。
【００６３】
[0073]  スケジューリング優先順位分析モジュール７２５は、第２のアクセスポイントにアクセスするユーザに属しているデータフローならびに第２のアクセスポインおよび他のアクセスポイントの両方に同時にアクセスするユーザに属しているデータフローについて、第２のアクセスポイントにおけるスケジューリング優先順位に基づいて少なくとも１つの統計を分析しうる。
【００６４】
[0074]  図６および７に示された分析モジュールの出力は、アクセスポイント間でのデータフローの切り替えを含む、第１のアクセスポイントおよび第２のアクセスポイントによってサービスされるデータフローを管理するための基礎として使用されうる。
【００６５】
[0075]  図８に関して、メッセージフロー図８００が示されている。このメッセージフロー図８００は、様々な実施形態に係る、アンカアクセスポイント１０５−ｉ、ブースタアクセスポイント１０５−ｊ、およびモバイルデバイス１１５−ｇの間の例示的なメッセージフローを例示する。アクセスポイント１０５−ｉ、１０５−ｊは、図１、２、３、４、および／または５に示されたアクセスポイント１０５の例であり得、いくつかのケースでは、基地局、ｅＮＢ、またはＷＬＡＮアクセスポイントでありうる。モバイルデバイス１１５−ｇは、図１および／または２に示されたモバイルデバイス１１５のうちの１つの例でありうる。
【００６６】
[0076]  例示的なメッセージフローにしたがって、１つまたは複数のデータフローの第１のセットを形成するメッセージが、通信８０５において、アンカアクセスポイント１０５−ｉとモバイルデバイス１１５−ｇとの間で交換されうる。同様に、１つまたは複数のデータフローの第２のセットを形成するメッセージが、通信８１０において、ブースタアクセスポイント１０５−ｊとモバイルデバイス１１５−ｇとの間で交換されうる。
【００６７】
[0077]  通信８１５において、アクセスポイント間通信が、アンカアクセスポイント１０５−ｉとブースタアクセスポイント１０５−ｊとの間で送信されうる。アクセスポイント間通信は、ブースタアクセスポイント１０５−ｊと連動して、アンカアクセスポイント１０５−ｉからの通信をモバイルデバイス１１５−ｇに最終的に転送するのに、および、モバイルデバイス１１５−ｇからの通信をアンカアクセスポイント１０５−ｉに転送するのに役立ちうる。
【００６８】
[0078]  通信８２０において、アンカアクセスポイント１０５−ｉは、１つまたは複数の性能統計を報告するよう求める要求をブースタアクセスポイント１０５−ｊに送信しうる。ブースタアクセスポイント１０５−ｊが１つまたは複数の性能統計をアンカアクセスポイント１０５−ｉに報告する方法はまた、通信８２０の一部として構成されうる。例として、いくつかの実施形態では、ブースタアクセスポイントは、１つまたは複数の性能統計を周期的に報告するように構成されうる。他の実施形態では、ブースタアクセスポイントは、イベントトリガが発生すると１つまたは複数の性能統計を報告するように構成されうる。１つまたは複数の性能統計がモバイルデバイスについての１つまたは複数の性能統計を含む場合、モバイルデバイスについての性能統計のうちの少なくとも１つが閾値を満たす（例えば、閾値を超える、閾値に一致する（meet）、閾値を下回る、等）と、イベントトリガが発生しうる。１つまたは複数の性能統計がブースタアクセスポイントについての１つまたは複数の性能統計を含む場合、ブースタアクセスポイントについての性能統計のうちの少なくとも１つが閾値を満たす（例えば、閾値を超える、閾値に一致する、閾値を下回る、等）と、イベントトリガが発生しうる。一例では、ブースタアクセスポイント上のデータフローまたはユーザ負荷が閾値を上回るまたは下回ることは、１つまたは複数の性能統計をアンカアクセスポイントに報告することをブースタアクセスポイントに行わせるイベントトリガでありうる。ＬＴＥ／ＬＴＥ−Ａシステムでは、８２５での要求および設計通信（１つまたは複数）は、Ｘ２アクセスポイントメッセージRESOURCE STATUS REQUESTでまたは新たなＸ２アクセスポイントメッセージで送られうる。
【００６９】
[0079]  通信８２５において、ブースタアクセスポイント１０５−ｊは、報告することを求めるアンカアクセスポイントの要求に応答しうる。ＬＴＥ／ＬＴＥ−Ａシステムでは、ブースタアクセスポイント１０５−ｊからの応答は、Ｘ２アクセスポイントメッセージRESOURCE STATUS RESPONSEでまたは新たなＸ２アクセスポイントメッセージで送られうる。
【００７０】
[0080]  通信８３０において、モバイルデバイス１１５−ｇは、性能統計を、それがある場合には、ブースタアクセスポイント１０５−ｊに報告しうる。この報告のタイミングは任意であり、図８で述べられた様々な通信の前または後に発生しうる。ＬＴＥ／ＬＴＥ−Ａシステムでは、性能統計は、Ｘ２アクセスポイントメッセージRESOURCE STATUS UPDATEでまたは新たなＸ２アクセスポイントメッセージで報告されうる。
【００７１】
[0081]  ブロック８３５において、ブースタアクセスポイント１０５−ｊについての性能統計は、それがある場合には、ブースタアクセスポイント１０５−ｊにおいてコンパイルされうる。
【００７２】
[0082]  通信８４０において、モバイルデバイス１１５−ｇおよびブースタアクセスポイント１０５−ｊについての性能統計がアンカアクセスポイント１０５−ｉに報告されうる。この性能統計は、アクセスポイント間通信リンクを通して報告されうる。アンカアクセスポイント１０５−ｉは、モバイルデバイス１１５−ｇおよび／またはブースタアクセスポイント１０５−ｊの受信された性能統計に少なくとも部分的に基づいて、モバイルデバイス１１５−ｇへのまたはそれからの１つまたは複数のデータフローを管理しうる。
【００７３】
[0083]  図９は、ワイヤレス通信システムにおいて通信を管理するための方法９００の実施形態を例示するフローチャートである。明瞭さのために、方法９００は、図１および／または２に示されたワイヤレス通信システム１００または２００に関連して、および／または、図１、２、３、４、５、および／または８に関連して説明されたアクセスポイント１０５のうちの１つに関連して以下に説明される。一実現では、図３、４、５、および／または８に関連して説明された通信管理モジュール３１０は、以下で説明される機能を行うようアクセスポイント１０５の機能要素を制御するために、コードの１つまたは複数のセットを実行しうる。
【００７４】
[0084]  ブロック９０５において、アクセスポイント間通信リンクは、第１のアクセスポイントと第２のアクセスポイントとの間に確立されうる。いくつかの実施形態では、ブロック９０５での動作が、図４に関連して説明されたアクセスポイント間通信モジュール４０５によって行われうる。
【００７５】
[0085]  ブロック９１０において、第１のアクセスポイントは、アクセスポイント間通信リンクを介して第２のアクセスポイントから１つまたは複数の性能統計を受信する。いくつかの実施形態では、ブロック９１０での動作が、図４に関連して説明された性能統計受信モジュール４１０によって行われうる。
【００７６】
[0086]  ブロック９１５において、第１のアクセスポイントおよび第２のアクセスポイントを介したモバイルデバイスへのまたはそれからの通信は、受信された性能統計に少なくとも部分的に基づいて管理されうる。通信を管理することは、いくつかのケースでは、モバイルデバイスが第１のアクセスポイントに知られているかまたはそれと通信状態にあるときに、１つまたは複数のデータフローの少なくとも一部を第２のアクセスポイントから第１のアクセスポイントに切り替えるかどうかを決定するために１つまたは複数の性能統計を使用することを含みうる。通信を管理することはまた、モバイルデバイスが第１のアクセスポイントと通信状態にあるときに、１つまたは複数のデータフローの少なくとも一部を第１のアクセスポイントから第２のアクセスポイントに切り替えるかどうかを決定するために１つまたは複数の性能統計を使用することを含みうる。いくつかの例では、通信を管理することは、第１のアクセスポイントと第２のアクセスポイントとの間でのリソースの集中スケジューリング、キャリア割振り、または１つまたは複数のデータフローを管理することを備えうる。いくつかの実施形態では、ブロック９１５での動作が、図４に関連して説明されたデータフロー管理モジュール４１５によって行われうる。
【００７７】
[0087]  よって、方法９００は、ワイヤレス通信システムにおける通信管理に使用されうる。方法９００がほんの一実現に過ぎないこと、および、方法９００の動作は、他の実現が可能なように再配置されうるかそうでなければ修正されうることに留意されたい。
【００７８】
[0088]  図１０は、ワイヤレス通信システムにおいて通信を管理するための別の方法１０００の実施形態を例示するフローチャートである。明瞭さのために、方法１０００は、図１および／または２に示されたワイヤレス通信システム１００または２００に関連して、および／または、図１、２、３、４、５、および／または８に関連して説明されたアクセスポイント１０５のうちの１つに関連して以下に説明される。一実現では、図３、４、５、および／または８に関連して説明された通信管理モジュール３１０は、以下で説明される機能を行うようアクセスポイント１０５の機能要素を制御するために、コードの１つまたは複数のセットを実行しうる。
【００７９】
[0089]  ブロック１００５において、アクセスポイント間通信リンクは、第１のアクセスポイントと第２のアクセスポイントとの間に確立されうる。いくつかの実施形態では、ブロック１００５での動作が、図４に関連して説明されたアクセスポイント間通信モジュール４０５によって行われうる。
【００８０】
[0090]  ブロック１０１０−ａ、１０１０−ｂ、１０１０−ｃ、および１０１０−ｄにおいて、第１のアクセスポイントは、アクセスポイント間通信リンクを介して第２のアクセスポイントから１つまたは複数の性能統計を受信する。例えば、ブロック１０１０−ａにおいて、第１のアクセスポイントは、モバイルデバイスについての１つまたは複数の性能統計を受信しうる。第２のアクセスポイントは、第２のアクセスポイントと通信状態にあるモバイルデバイスを用いて、モバイルデバイスについての性能統計を獲得しうる。いくつかのケースでは、第２のアクセスポイントと通信状態にあるモバイルデバイスは複数存在し得、第１のアクセスポイントは、第２のアクセスポイントと、第１のアクセスポイントとのそのアクセスポイント間通信リンクとを介して、これらのモバイルデバイスのうちのいずれかまたはすべてについての性能統計を受信しうる。
【００８１】
[0091]  ブロック１０１０−ｂにおいて、第１のアクセスポイントは、第２のアクセスポイントについての１つまたは複数の性能統計を受信しうる。
【００８２】
[0092]  ブロック１０１０−ｃにおいて、第１のアクセスポイントは、データフローごとに（例えば、モバイルデバイスと第２のアクセスポイントとの間のデータフローごとに）１つまたは複数の性能統計を受信しうる。代替的または追加的に、ブロック１０１０−ｄにおいて、第１のアクセスポイントは、１つまたは複数の累積性能統計を受信し得、この場合、各累積性能統計は、少なくとも２つのデータフローのセットに対応しうる。
【００８３】
[0093]  いくつかの実施形態では、ブロック１０１０−ａ、１０１０−ｂ、１０１０−ｃ、および１０１０−ｄでの動作は、図４および／または５に示された性能統計受信モジュール４１０によって行われうる。
【００８４】
[0094]  ブロック１０１５において、第１のアクセスポイントおよび第２のアクセスポイントを介したモバイルデバイスへのまたはそれからの通信は、受信された性能統計に少なくとも部分的に基づいて管理されうる。いくつかの実施形態では、ブロック１０１５での動作が、図４に関連して説明されたデータフロー管理モジュール４１５によって行われうる。
【００８５】
[0095]  よって、方法１０００は、ワイヤレス通信システムにおける通信管理に使用されうる。方法１０００がほんの一実現に過ぎないこと、および、方法１０００の動作は、他の実現が可能なように再配置されうるかそうでなければ修正されうることに留意されたい。
【００８６】
[0096]  図１１は、ワイヤレス通信システムにおいて通信を管理するための方法１１００の実施形態を例示するフローチャートである。明瞭さのために、方法１１００は、図１および／または２に示されたワイヤレス通信システム１００または２００に関連して、および／または、図１、２、３、４、５、および／または８に関連して説明されたアクセスポイント１０５のうちの１つに関連して以下に説明される。一実現では、図３、４、５、および／または８に関連して説明された通信管理モジュール３１０は、以下で説明される機能を行うようアクセスポイント１０５の機能要素を制御するために、コードの１つまたは複数のセットを実行しうる。
【００８７】
[0097]  ブロック１１０５において、アクセスポイント間通信リンクは、第１のアクセスポイントと第２のアクセスポイントとの間に確立されうる。いくつかの実施形態では、ブロック１１０５での動作が、図４に関連して説明されたアクセスポイント間通信モジュール４０５によって行われうる。
【００８８】
[0098]  ブロック１１１０において、第１のアクセスポイントは、１つまたは複数の性能統計を報告するよう求める要求を第２のアクセスポイントに送信しうる。次に、ブロック１１１５において、第２のアクセスポイントが１つまたは複数の性能統計を第１のアクセスポイントに報告する方法が構成されうる。例えば、いくつかの実施形態では、第２のアクセスポイントは、１つまたは複数の性能統計を周期的に報告するように構成されうる。他の実施形態では、第２のアクセスポイントは、イベントトリガが発生すると１つまたは複数の性能統計を報告するように構成されうる。１つまたは複数の性能統計がモバイルデバイスについての１つまたは複数の性能統計を含む場合、モバイルデバイスについての性能統計のうちの少なくとも１つが閾値を満たす（例えば、閾値を超える、閾値に一致する、閾値を下回る、等）とイベントトリガが発生しうる。１つまたは複数の性能統計が第２のアクセスポイントについての１つまたは複数の性能統計を含む場合、第２のアクセスポイントについての性能統計のうちの少なくとも１つが閾値を満たす（例えば、閾値を超える、閾値に一致する、閾値を下回る、等）と、イベントトリガが発生しうる。一例では、第２のアクセスポイント上のデータフローまたはユーザ負荷が閾値を上回るまたは下回ることは、１つまたは複数の性能統計を第１のアクセスポイントに報告することを第２のアクセスポイントに行わせるイベントトリガでありうる。
【００８９】
[0099]  ブロック１１２０において、第１のアクセスポイントは、アクセスポイント間通信リンクを介して第２のアクセスポイントから１つまたは複数の性能統計を受信しうる。いくつかの実施形態では、ブロック９１０での動作が、図４に関連して説明された性能統計受信モジュール４１０によって行われうる。
【００９０】
[0100]  ブロック１１２５において、１つまたは複数のデータフローは、受信された性能統計に少なくとも部分的に基づいて管理されうる。具体的には、第１のアクセスポイントおよび第２のアクセスポイントを介したモバイルデバイスへのまたはそれからのデータフローが管理されうる。１つまたは複数のデータフローは、モバイルデバイスが第１のアクセスポイントに知られているかまたはそれと通信状態にあるとき、例えば、第１または第２のアクセスポイントへのまたはそれからのデータフローの少なくとも一部を切り替えることによって管理されうる。いくつかの実施形態では、ブロック１１２５での動作が、図４に関連して説明されたデータフロー管理モジュール４１５によって行われうる。
【００９１】
[0101]  よって、方法１１００は、ワイヤレス通信システムにおける通信管理に使用されうる。方法１１００がほんの一実現に過ぎないこと、および、方法１１００の動作は、他の実現が可能なように再配置されうるかそうでなければ修正されうることに留意されたい。
【００９２】
[0102]  本明細書で説明された方法、システム、および装置は、第１のアクセスポイントがアンカアクセスポイントであり、第２のアクセスポイントがブースタアクセスポイントである状況で大部分を説明しているが、代替的な実施形態では、第１のアクセスポイントはブースタアクセスポイントであり得、第２のアクセスポイントはアンカアクセスポイントでありうる。
【００９３】
[0103]  添付の図面に関して上に示される詳細な説明は、例示的な実施形態を説明し、実現されうるかまたは特許請求の範囲の適用範囲内にある唯一の実施形態を表すものではない。本明細書全体にわたって使用される「例示的」という用語は、「例証、事例、または例示として機能する」を意味し、「他の実施形態よりも有利である」または「好ましい」わけではない。詳細な説明は、説明された技法の理解を提供することを目的とする具体的な詳細を含む。しかしながら、これらの技法は、これらの具体的な詳細なしに実施されうる。いくつかの事例では、周知の構造およびデバイスは、説明された実施形態の概念を曖昧にしないためにブロック図形式で示される。
【００９４】
[0104]  本明細書で説明された技法は、ＣＤＭＡ、ＴＤＭＡ、ＦＤＭＡ、ＯＦＤＭＡ、ＳＣ−ＦＤＭＡ、および他のシステムといった様々なワイヤレス通信システムに使用されうる。「システム」および「ネットワーク」という用語は、交換可能に使用されることが多い。ＣＤＭＡシステムは、ＣＤＭＡ２０００、ＵＴＲＡ（Universal Terrestrial Radio Access）、等の無線技術を実現しうる。ＣＤＭＡ２０００は、ＩＳ−２０００、ＩＳ−９５、およびＩＳ−８５６規格をカバーする。ＩＳ−２０００リリース０およびＡは、通称、ＣＤＭＡ２０００ １Ｘ、１Ｘ、等と呼ばれうる。ＩＳ−８５６（ＴＩＡ−８５６）は、通称、ＣＤＭＡ２０００ １ｘＥＶ−ＤＯ、高速パケットデータ（ＨＲＰＤ）、等と呼ばれうる。ＵＴＲＡは、広帯域ＣＤＭＡ（ＷＣＤＭＡ（登録商標））およびＣＤＭＡの他の変形を含む。ＴＤＭＡシステムは、ＧＳＭ（登録商標）（Global System for Mobile Communications）のような無線技術を実現しうる。ＯＦＤＭＡシステムは、ウルトラモバイルブロードバンド（ＵＭＢ）、次世代型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュ−ＯＦＤＭ、等の無線技術を実現しうる。ＵＴＲＡおよびＥ−ＵＴＲＡは、ＵＭＴＳ（Universal Mobile Telecommunication System）の一部である。３ＧＰＰ（登録商標）ロングタームエボリューション（ＬＴＥ）およびＬＴＥアドバンスド（ＬＴＥ−Ａ）は、Ｅ−ＵＴＲＡを使用するＵＭＴＳの新たなリリースである。ＵＴＲＡ、Ｅ−ＵＴＲＡ、ＵＭＩＴＳ。ＬＴＥ、ＬＴＥ−Ａ、およびＧＳＭは、「第３世代パートナーシッププロジェクト（３ＧＰＰ）」という名称の団体からの文書に記載されている。ＣＤＭＡ２０００およびＵＭＢは、「第３世代パートナーシッププロジェクト２（３ＧＰＰ２）」という名称の団体からの文書に記載されている。本明細書で説明された技法は、上述されたシステムおよび無線技術だけでなく他のシステムおよび無線技術にも使用されうる。しかしながら、以下の説明では、例のためにＬＴＥシステムが説明されており、本技法はＬＴＥアプリケーションを超えて適用可能であるが、以下の説明の大半ではＬＴＥ用語が使用される。
【００９５】
[0105]  開示された様々な実施形態のうちのいくつかに順応しうる（accommodate）通信ネットワークは、層状プロトコルスタックにしたがって動作するパケットベースのネットワークでありうる。例えば、ベアラまたはパケットデータコンバージェンスプロトコル（ＰＤＣＰ）レイヤでの通信はＩＰベースでありうる。無線リンク制御（ＲＬＣ）レイヤは、論理チャネル上で通信するために、パケットセグメンテーションおよびリアセンブリを行いうる。媒体アクセス制御（ＭＡＣ）レイヤは、優先順位処理と、トランスポートチャネルへの論理チャネルの多重化を行いうる。ＭＡＣレイヤはまた、リンク効率を改善するために、ハイブリッドＡＲＱ（ＨＡＲＱ）を使用してＭＡＣレイヤ上での再送信を行いうる。物理レイヤにおいて、トランスポートチャネルが物理チャネルにマッピングされうる。
【００９６】
[0106]  情報および信号は、多種多様な技術および技法のいずれかを使用して表されうる。例えば、上記説明の全体にわたって述べられうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００９７】
[0107]  本明細書の開示と関連して説明された実例となる様々なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を行うよう設計されたこれらの任意の組み合わせで実現されうるかまたは行われうる。汎用プロセッサはマイクロプロセッサでありうるが、代替的に、このプロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、またはその他のそのような構成との組み合わせとして実現されうる。プロセッサは、いくつかのケースでは、メモリと電気通信状態にあり得、この場合、メモリは、プロセッサによって実行可能な命令を記憶する。
【００９８】
[0108]  本明細書で説明された機能は、ハードウェア、プロセッサによって実行されるソフトウェア、ファームウェア、またはそれらの任意の組み合わせにおいて実現されうる。プロセッサによって実行されるソフトウェアで実現される場合、これらの機能は、コンピュータ可読媒体上で、１つまたは複数の命令またはコードとして記憶または送信されうる。他の例および実現は、本開示および添付の特許請求の範囲の精神および適用範囲内にある。例えば、ソフトウェアの本質により、上述された機能は、プロセッサによって実行されるソフトウェア、ハードウェア、ファームウェア、ハンドライティング、またはこれらの任意の組み合わせを使用して実現されることができる。機能を実現する特徴はまた、様々な位置に物理的に位置付けられ、それは、機能の複数の部分が異なる物理的な位置に実現されるように分配されることを含む。また、本明細書、特許請求の範囲を含む、で使用される場合、「〜のうちの少なくとも１つ」で始まる複数の項目からなるリストで使用される「または」は、例えば「Ａ、Ｂ、またはＣのうちの少なくとも１つ」のリストが、Ａ、Ｂ、Ｃ、ＡとＢ、ＡとＣ、ＢとＣ、ＡとＢとＣ（すなわち、Ａ、Ｂ、およびＣ）を意味するような、離接的な（disjunctive）リストを示す。
【００９９】
[0109]  コンピュータプログラム製品またはコンピュータ可読媒体は、両方とも、ある箇所から別の箇所へのコンピュータプログラムの移送を容易にする任意の媒体を含む通信媒体およびコンピュータ可読記憶媒体を含む。記憶媒体は、汎用コンピュータまたは専用コンピュータによってアクセスされることができる任意の媒体でありうる。限定ではなく例として、コンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形式で所望のコンピュータ可読プログラムコードを搬送または記憶するために使用されることができ、かつ、汎用コンピュータまたは専用コンピュータあるいは汎用プロセッサまたは専用プロセッサによってアクセスされることができるその他の媒体を備えうる。また、任意の接続は厳密にはコンピュータ可読媒体と称されうる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザー（登録商標）ディスク、光ディスク、デジタル多用途ディスク（ＤＶＤ）、フロッピー（登録商標）ディスク、およびブルーレイ（登録商標）ディスクを含み、ディスク（disk）は、通常磁気的にデータを再生し、ディスク（disc）は、レーザーを用いて光学的にデータを再生する。上記の組み合わせもまた、コンピュータ可読媒体の適用範囲内に含まれる。
【０１００】
[0110]  本開示の先の説明は、当業者が本開示を実行または使用することを可能にするために提供される。本開示に対する様々な修正は当業者には容易に明らかであり、本明細書で定義された包括的な原理は、本開示の精神または適用範囲から逸脱することなく、他の変形に適用されうる。本開示全体を通して「例となる」または「例示的な」という用語は実例または事例を示し、述べられた例に対する何らかの選好を意図または必要としない。ゆえに、本開示は本明細書で説明された例および設計に限定されるべきではなく、本明細書に開示された原理および新規な特徴と合致する最も広い範囲が与えられるべきである。
【図１】
2019036984.tif 000003
【図２】
2019036984.tif 000004
【図３】
2019036984.tif 000005
【図４】
2019036984.tif 000006
【図５】
2019036984.tif 000007
【図６】
2019036984.tif 000008
【図７】
2019036984.tif 000009
【図８】
2019036984.tif 000010
【図９】
2019036984.tif 000011
【図１０】
2019036984.tif 000012
【図１１】
2019036984.tif 000013
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて通信を管理するための方法であって、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を備える方法。
【手続補正２】
【補正対象書類名】明細書
【補正対象項目名】０１００
【補正方法】変更
【補正の内容】
【０１００】
[0110]  本開示の先の説明は、当業者が本開示を実行または使用することを可能にするために提供される。本開示に対する様々な修正は当業者には容易に明らかであり、本明細書で定義された包括的な原理は、本開示の精神または適用範囲から逸脱することなく、他の変形に適用されうる。本開示全体を通して「例となる」または「例示的な」という用語は実例または事例を示し、述べられた例に対する何らかの選好を意図または必要としない。ゆえに、本開示は本明細書で説明された例および設計に限定されるべきではなく、本明細書に開示された原理および新規な特徴と合致する最も広い範囲が与えられるべきである。
以下に本願発明の当初の特許請求の範囲に記載された発明を付記する。
［Ｃ１］
ワイヤレス通信システムにおいて通信を管理するための方法であって、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を備える方法。
［Ｃ２］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ１に記載の方法。
［Ｃ３］
前記１つまたは複数の性能統計を受信することは、
前記モバイルデバイスおよび前記第２のアクセスポイントのうちの少なくとも１つについての１つまたは複数の性能統計を受信すること
を備える、Ｃ１に記載の方法。
［Ｃ４］
通信を管理することは、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること
を備える、Ｃ１に記載の方法。
［Ｃ５］
通信を管理することは、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を備える、Ｃ１に記載の方法。
［Ｃ６］
前記１つまたは複数の性能統計を報告するよう求める要求を、前記第２のアクセスポイントに送信すること
をさらに備える、Ｃ１に記載の方法。
［Ｃ７］
前記要求は、周期的にかまたはイベントトリガが発生したときにかのいずれかに前記１つまたは複数の性能統計を報告する命令を備える、Ｃ６に記載の方法。
［Ｃ８］
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
Ｃ７に記載の方法。
［Ｃ９］
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、Ｃ１に記載の方法。
［Ｃ１０］
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、Ｃ１に記載の方法。
［Ｃ１１］
前記１つまたは複数の性能統計は、前記アクセスポイント間通信リンクのローディングまたは利用に関する少なくとも１つの統計を備える、Ｃ１に記載の方法。
［Ｃ１２］
ワイヤレス通信システムにおいて通信を管理するための装置であって、
プロセッサと、
前記プロセッサと電子通信状態にあるメモリと、
前記メモリに記憶された命令と
を備え、前記命令は、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記第１のアクセスポイントおよび前記第２のアクセスポイントを介したモバイルデバイスへのまたはそれからの通信を、前記受信された性能統計に少なくとも部分的に基づいて管理することと
を行うために前記プロセッサによって実行可能である、装置。
［Ｃ１３］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ１２に記載の装置。
［Ｃ１４］
前記命令は、
前記モバイルデバイスおよび前記第２のアクセスポイントのうちの少なくとも１つについての１つまたは複数の性能統計を受信することと
を行うために前記プロセッサによって実行可能である、Ｃ１２に記載の装置。
［Ｃ１５］
前記命令は、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること、
を行うために前記プロセッサによって実行可能である、Ｃ１２に記載の装置。
［Ｃ１６］
前記命令は、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を行うために前記プロセッサによって実行可能である、Ｃ１２に記載の装置。
［Ｃ１７］
前記命令は、
前記１つまたは複数の性能統計を報告するよう求める要求を前記第２のアクセスポイントに送信すること
を行うために前記プロセッサによって実行可能である、Ｃ１２に記載の装置。
［Ｃ１８］
前記要求は、周期的にかまたはイベントトリガが発生したときにかのいずれかに前記１つまたは複数の性能統計を報告する命令を備える、Ｃ１７に記載の装置。
［Ｃ１９］
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
Ｃ１８に記載の装置。
［Ｃ２０］
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、Ｃ１２に記載の装置。
［Ｃ２１］
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、Ｃ１２に記載の装置。
［Ｃ２２］
前記１つまたは複数の性能統計は、前記アクセスポイント間通信リンクのローディングまたは利用に関する少なくとも１つの統計を備える、Ｃ１２に記載の装置。
［Ｃ２３］
ワイヤレス通信システムにおいて通信を管理するための装置であって、
第１のアクセスポイントと第２のアクセスポイントとの間にアクセスポイント間通信リンクを確立するための手段と、
前記アクセスポイント間通信リンクを介した前記第２のアクセスポイントから１つまたは複数の性能統計を、前記第１のアクセスポイントにおいて受信するための手段と、
前記受信された性能統計に少なくとも部分的に基づいて、前記第１のアクセスポイントおよび前記第２のアクセスポイントを介したモバイルデバイスへのまたはそれからの通信を管理するための手段と
を備える装置。
［Ｃ２４］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ２３に記載の装置。
［Ｃ２５］
前記１つまたは複数の性能統計を受信するための前記手段は、
前記モバイルデバイスおよび前記第２のアクセスポイントのうちの少なくとも１つについての１つまたは複数の性能統計を受信するための手段
を備える、Ｃ２３に記載の装置。
［Ｃ２６］
前記１つまたは複数の性能統計を報告するよう求める要求を、前記第２のアクセスポイントに送信するための手段
をさらに備える、Ｃ２３に記載の装置。
［Ｃ２７］
前記要求は、周期的にかまたはイベントトリガが発生したときにかのいずれかに前記１つまたは複数の性能統計を報告する命令を備える、Ｃ２６に記載の装置。
［Ｃ２８］
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
Ｃ２７に記載の装置。
［Ｃ２９］
ワイヤレス通信システムにおいて通信を管理するためのコンピュータプログラム製品であって、前記コンピュータプログラム製品は、命令を記憶している非一時的コンピュータ可読媒体を備え、前記命令は、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を行うためにプロセッサによって実行可能である、コンピュータプログラム製品。
［Ｃ３０］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ２９に記載のコンピュータプログラム製品。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
(a1)第１のアクセスポイントによって、ワイヤレス通信システムにおいて通信を管理するための方法であって、
(a2)前記第１のアクセスポイントと１つまたは複数の第２のアクセスポイントとの間にアクセスポイント間通信リンクを確立することと、
(a3)前記アクセスポイント間通信リンクを介して前記１つまたは複数の第２のアクセスポイントから１つまたは複数の性能統計を、前記第１のアクセスポイントにおいて受信することと、
(a4)前記受信された性能統計に少なくとも部分的に基づいて、モバイルデバイスと前記第１のアクセスポイントとの間の確立された通信、および前記受信された性能統計に少なくとも部分的に基づいて、前記モバイルデバイスと前記１つまたは複数の第２のアクセスポイントとの間の確立された通信を、前記第１のアクセスポイントによって、管理することと、
(a5)前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を切り替えることと、
を備える方法。
【請求項２】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項１に記載の方法。
【請求項３】
前記１つまたは複数の性能統計を受信することは、
前記モバイルデバイスおよび前記１つまたは複数の第２のアクセスポイントのうちの少なくとも１つについての１つまたは複数の性能統計を受信すること
を備える、請求項１に記載の方法。
【請求項４】
通信を管理することは、
前記モバイルデバイスが前記第１のアクセスポイントに知られているかまたはそれと通信状態にあるときに、１つまたは複数のデータフローの少なくとも一部を前記１つまたは複数の第２のアクセスポイントから前記第１のアクセスポイントに切り替えるかどうかを決定するために前記１つまたは複数の性能統計を使用すること
を備える、請求項１に記載の方法。
【請求項５】
通信を管理することは、
前記モバイルデバイスが前記第１のアクセスポイントと通信状態にあるときに、１つまたは複数のデータフローの少なくとも一部を前記第１のアクセスポイントから前記１つまたは複数の第２のアクセスポイントに切り替えるかどうかを決定するために前記１つまたは複数の性能統計を使用すること
を備える、請求項１に記載の方法。
【請求項６】
前記第１のアクセスポイントによって、前記１つまたは複数の性能統計を報告するよう求める要求を、前記１つまたは複数の第２のアクセスポイントに送信すること
をさらに備える、請求項１に記載の方法。
【請求項７】
前記要求は、周期的にかまたはイベントトリガが発生したときにかのいずれかに前記１つまたは複数の性能統計を報告する命令を備える、請求項６に記載の方法。
【請求項８】
前記１つまたは複数の性能統計は、前記モバイルデバイスおよび前記１つまたは複数の第２のアクセスポイントのうちの少なくとも１つについての１つまたは複数の性能統計を備え、
前記イベントトリガは、前記モバイルデバイスおよび前記１つまたは複数の第２のアクセスポイントのうちの少なくとも１つについての前記性能統計のうちの少なくとも１つが閾値を満たすと発生する、
請求項７に記載の方法。
【請求項９】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１に記載の方法。
【請求項１０】
前記１つまたは複数の性能統計は、前記モバイルデバイスと前記１つまたは複数の第２のアクセスポイントとの間のチャネル情報、および少なくとも１つのアクセスポイントについての前記モバイルデバイスによって測定された信号品質に関する少なくとも１つの統計を備える、請求項１に記載の方法。
【請求項１１】
前記１つまたは複数の性能統計は、前記アクセスポイント間通信リンクのローディングまたは利用に関する少なくとも１つの統計を備える、請求項１に記載の方法。
【請求項１２】
前記第１のアクセスポイントは、発展型ノードＢ（ｅＮＢ）を備え、
前記１つまたは複数の第２のアクセスポイントは、ワイヤレスローカルエリアネットワーク（ＷＬＡＮ）アクセスポイントを備える、
請求項１に記載の方法。
【請求項１３】
第１のアクセスポイントによって、ワイヤレス通信システムにおいて通信を管理するための装置であって、
プロセッサと、
前記プロセッサと電子通信状態にあるメモリと、
前記メモリに記憶された命令と
を備えた上記装置であって、前記命令は、
前記第１のアクセスポイントと１つまたは複数の第２のアクセスポイントとの間にアクセスポイント間通信リンクを確立することと、
前記アクセスポイント間通信リンクを介して前記１つまたは複数の第２のアクセスポイントから１つまたは複数の性能統計を、前記第１のアクセスポイントにおいて受信することと、
前記受信された性能統計に少なくとも部分的に基づいて、モバイルデバイスと前記第１のアクセスポイントとの間の確立された通信、および前記受信された性能統計に少なくとも部分的に基づいて、前記モバイルデバイスと前記１つまたは複数の第２のアクセスポイントとの間の確立された通信を、前記第１のアクセスポイントによって、管理することと、
前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を切り替えることと、
を行うために前記プロセッサによって実行可能である、装置。
【請求項１４】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項１３に記載の装置。
【請求項１５】
前記命令は、
前記モバイルデバイスおよび前記１つまたは複数の第２のアクセスポイントのうちの少なくとも１つについての１つまたは複数の性能統計を受信すること
を行うために前記プロセッサによって実行可能である、請求項１３に記載の装置。
【請求項１６】
前記命令は、
前記モバイルデバイスが前記第１のアクセスポイントに知られているかまたはそれと通信状態にあるときに、１つまたは複数のデータフローの少なくとも一部を前記１つまたは複数の第２のアクセスポイントから前記第１のアクセスポイントに切り替えるかどうかを決定するために前記１つまたは複数の性能統計を使用すること、
を行うために前記プロセッサによって実行可能である、請求項１３に記載の装置。
【請求項１７】
前記命令は、
前記モバイルデバイスが前記第１のアクセスポイントと通信状態にあるときに、１つまたは複数のデータフローの少なくとも一部を前記第１のアクセスポイントから前記１つまたは複数の第２のアクセスポイントに切り替えるかどうかを決定するために前記１つまたは複数の性能統計を使用すること
を行うために前記プロセッサによって実行可能である、請求項１３に記載の装置。
【請求項１８】
前記命令は、
前記１つまたは複数の性能統計を報告するよう求める要求を前記１つまたは複数の第２のアクセスポイントに送信すること
を行うために前記プロセッサによって実行可能である、請求項１３に記載の装置。
【請求項１９】
前記要求は、周期的にかまたはイベントトリガが発生したときにかのいずれかに前記１つまたは複数の性能統計を報告する命令を備える、請求項１８に記載の装置。
【請求項２０】
前記１つまたは複数の性能統計は、前記モバイルデバイスおよび前記１つまたは複数の第２のアクセスポイントのうちの少なくとも１つについての１つまたは複数の性能統計を備え、
前記イベントトリガは、前記モバイルデバイスおよび前記１つまたは複数の第２のアクセスポイントのうちの少なくとも１つについての前記性能統計のうちの少なくとも１つが閾値を満たすと発生する、
請求項１９に記載の装置。
【請求項２１】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１３に記載の装置。
【請求項２２】
前記１つまたは複数の性能統計は、前記モバイルデバイスと前記１つまたは複数の第２のアクセスポイントとの間のチャネル情報、および少なくとも１つのアクセスポイントについての前記モバイルデバイスによって測定された信号品質に関する少なくとも１つの統計を備える、請求項１３に記載の装置。
【請求項２３】
前記１つまたは複数の性能統計は、前記アクセスポイント間通信リンクのローディングまたは利用に関する少なくとも１つの統計を備える、請求項１３に記載の装置。
【請求項２４】
第１のアクセスポイントによって、ワイヤレス通信システムにおいて通信を管理するための装置であって、
前記第１のアクセスポイントと１つまたは複数の第２のアクセスポイントとの間にアクセスポイント間通信リンクを確立するための手段と、
前記アクセスポイント間通信リンクを介して前記１つまたは複数の第２のアクセスポイントから１つまたは複数の性能統計を、前記第１のアクセスポイントにおいて受信するための手段と、
前記受信された性能統計に少なくとも部分的に基づいて、モバイルデバイスと前記第１のアクセスポイントとの間の確立された通信、および前記受信された性能統計に少なくとも部分的に基づいて、前記モバイルデバイスと前記１つまたは複数の第２のアクセスポイントとの間の確立された通信を、前記第１のアクセスポイントによって、管理するための手段と、
プロセッサと、ここにおいて、上記プロセッサは、前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を切り替えるように構成される、
を備える装置。
【請求項２５】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項２４に記載の装置。
【請求項２６】
前記１つまたは複数の性能統計を受信するための前記手段は、
前記モバイルデバイスおよび前記１つまたは複数の第２のアクセスポイントのうちの少なくとも１つについての１つまたは複数の性能統計を受信するための手段を備える、請求項２４に記載の装置。
【請求項２７】
前記１つまたは複数の性能統計を報告するよう求める要求を、前記１つまたは複数の第２のアクセスポイントに送信するための手段
をさらに備える、請求項２４に記載の装置。
【請求項２８】
前記要求は、周期的にかまたはイベントトリガが発生したときにかのいずれかに前記１つまたは複数の性能統計を報告する命令を備える、請求項２７に記載の装置。
【請求項２９】
前記１つまたは複数の性能統計は、前記モバイルデバイスおよび前記１つまたは複数の第２のアクセスポイントのうちの少なくとも１つについての１つまたは複数の性能統計を備え、
前記イベントトリガは、前記モバイルデバイスおよび前記１つまたは複数の第２のアクセスポイントのうちの少なくとも１つについての前記性能統計のうちの少なくとも１つが閾値を満たすと発生する、
請求項２８に記載の装置。
【請求項３０】
第１のアクセスポイントによって、ワイヤレス通信システムにおいて通信を管理するためのコンピュータプログラムであって、
前記第１のアクセスポイントと１つまたは複数の第２のアクセスポイントとの間にアクセスポイント間通信リンクを確立することと、
前記アクセスポイント間通信リンクを介して前記１つまたは複数の第２のアクセスポイントから１つまたは複数の性能統計を、前記第１のアクセスポイントにおいて受信することと、
前記受信された性能統計に少なくとも部分的に基づいて、モバイルデバイスと前記第１のアクセスポイントとの間の確立された通信、および前記受信された性能統計に少なくとも部分的に基づいて、前記モバイルデバイスと前記１つまたは複数の第２のアクセスポイントとの間の確立された通信を、前記第１のアクセスポイントによって、管理することと、
前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を切り替えることと、
をプロセッサに行わせるための、コンピュータプログラム。
【請求項３１】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項３０に記載のコンピュータプログラム。
【外国語明細書】
2019036984000001.pdf